(57)【要約】      （修正有）【課題】地震により貯湯ユニットが振動した場合、貯湯タンクの重量を軽くし、撤去処理などの取扱いを容易にする貯湯ユニットを提供する。【解決手段】外郭ケース２０の下面を構成する底面板２１上に内部脚３０により立設固定された貯湯タンク１０と、貯湯タンク１０の下部に設けられ開放すると貯湯タンク１０内の湯水が流出するように構成された水抜き栓４０と、外郭ケース２０の外側の内部脚３０に対応する位置に一端が取付けられ他端が設置面６０に固定されることで外郭ケース２０を設置面６０に固定する据付脚３１と、一端が水抜き栓４０に取り付けられ、他端が底面板２１に当接するように構成された内部支持脚３２とを備え、地震により設置面６０が振動したとき、貯湯タンク１０と底面板２１との相対位置が変動することで内部支持脚３２が底面板２１から受ける応力により、内部支持脚３２が水抜き栓４０を開放するように構成した。【選択図】図１
2016114326.tif 000002
【特許請求の範囲】
【請求項１】
直方体状の外郭ケースに収納され、前記外郭ケースの下面を構成する底面板上に、内部脚により立設固定された貯湯タンクと、
前記貯湯タンクの下部に設けられ、開放すると前記貯湯タンク内の湯水が流出するように構成された水抜き栓と、
前記外郭ケースの外側の、前記底面板の下部の前記内部脚に対応する位置に一端が取付けられ、他端が設置面に固定されることで、前記外郭ケースを前記設置面に立設固定する据付脚と、
一端が前記水抜き栓に取り付けられ、他端が前記底面板に当接するように構成された内部支持脚と、
を備え、
地震により前記設置面が振動したとき、前記貯湯タンクに前記振動が伝搬し前記貯湯タンクと前記底面板との相対位置が変動することで前記内部支持脚が前記底面板から受ける応力により、前記内部支持脚が前記水抜き栓を開放するように構成したことを特徴とする貯湯式給湯機。
【請求項２】
直方体状の外郭ケースに収納され、前記外郭ケースの下面を構成する底面板上に、内部脚により立設固定された貯湯タンクと、
前記貯湯タンクの下部に設けられ、開放すると前記貯湯タンク内の湯水が流出するように構成された水抜き栓と、
前記外郭ケースの外側の、前記底面板の下部の前記内部脚に対応する位置に一端が取付けられ、他端が設置面に固定されることで、前記外郭ケースを前記設置面に立設固定する据付脚と、
一端が前記水抜き栓に取り付けられ、前記底面板を貫通し、他端が前記設置面に当接するように構成された外部支持脚と、
を備え、
地震により前記設置面が振動したとき、前記貯湯タンクに前記振動が伝搬し前記貯湯タンクと前記設置面との相対位置が変動することで前記外部支持脚が前記設置面から受ける応力により、前記外部支持脚が前記水抜き栓を開放するように構成したことを特徴とする貯湯式給湯機。
【請求項３】
前記外部支持脚を、前記外郭ケースの内部に収納可能に構成したことを特徴とする請求項２に記載の貯湯式給湯機。
【請求項４】
前記外部支持脚が貫通する前記底面板の貫通穴の周囲に仕切部を形成し、
前記水抜き栓から流出する湯水を、前記貫通穴から前記外郭ケースの外部へ排出可能とするとともに、
前記貯湯タンクの湯水が、前記水抜き栓以外の部位から前記底面板へ流出した場合は、前記底面板に設けた前記仕切部によって、前記貫通穴から前記外郭ケースの外部に流出しないように構成したことを特徴とする請求項２または３に記載の貯湯式給湯機。
【請求項５】
前記水抜き栓からの湯水の流出有無を検知する流出検知手段と、
水源から前記貯湯タンクへ供給される湯水の流路を開放、遮断する開閉手段と、
を備え、
前記流出検知手段で湯水の流出ありを検知した場合、前記開閉手段により、前記水源から前記貯湯タンクへの湯水の供給を遮断するように構成したことを特徴とする請求項１から４のいずれか１つに記載の貯湯式給湯機。
【発明の詳細な説明】
【技術分野】
【０００１】
本発明は、貯湯式給湯機に関するものである。
【背景技術】
【０００２】
貯湯式給湯機の貯湯ユニットは、湯水を貯留する貯湯タンクと、貯湯タンクを保温する断熱材、湯水を流入流出させるための配管、給湯機として機能させるための内蔵部品、土台もしくは床面に固定するための脚などを有する構造となっている。貯湯式給湯機のような、内部に水を引き込んで使用する機器に関しては、機器内部の水の凍結によって生じる内蔵部品の不具合発生を回避するために、機器内部の水が凍結した場合、いち早く機器外部に漏水を発生させる箇所を設けることで、主要な内蔵部品が影響を受けないようにしたものが開示されている。（特許文献１）
【先行技術文献】
【特許文献】
【０００３】
【特許文献１】特開昭６３−１７３５２号公報
【発明の概要】
【発明が解決しようとする課題】
【０００４】
貯湯式給湯機のように貯湯タンクに多量の湯水を内蔵する機器は、凍結時以外にも、大地震などにより質量の大きな貯湯タンクが貯湯ユニット内部で傾斜や変形するなどで少量の漏水が発生する可能性がある。一方で、漏水が発生する箇所は特定できないため、もし貯湯タンク上部から漏水した場合は、漏水箇所よりも下の湯水は抜けないため、重量物である貯湯タンクを内蔵する貯湯ユニットは、その質量により地震発生後の撤去処理が難しいなど、貯湯タンクに湯水が残留した場合には重量物ゆえの問題を生じる可能性があった。
【０００５】
本発明は上記のような問題点を解消するためになされたもので、地震により貯湯ユニットが振動した場合、貯湯タンクの重量を軽くし、撤去処理などの取扱いを容易にすることができる貯湯式給湯機を得ることを目的としている。
【課題を解決するための手段】
【０００６】
直方体状の外郭ケースに収納され、外郭ケースの下面を構成する底面板上に、内部脚により立設固定された貯湯タンクと、貯湯タンクの下部に設けられ、開放すると貯湯タンク内の湯水が流出するように構成された水抜き栓と、外郭ケースの外側の、底面板の下部の内部脚に対応する位置に一端が取付けられ、他端が設置面に固定されることで、外郭ケースを設置面に立設固定する据付脚と、一端が水抜き栓に取り付けられ、他端が底面板に当接するように構成された内部支持脚と、を備え、地震により設置面が振動したとき、貯湯タンクに振動が伝搬し貯湯タンクと底面板との相対位置が変動することで内部支持脚が底面板から受ける応力により、内部支持脚が水抜き栓を開放するように構成した。
【０００７】
直方体状の外郭ケースに収納され、外郭ケースの下面を構成する底面板上に、内部脚により立設固定された貯湯タンクと、貯湯タンクの下部に設けられ、開放すると貯湯タンク内の湯水が流出するように構成された水抜き栓と、外郭ケースの外側の、底面板の下部の内部脚に対応する位置に一端が取付けられ、他端が設置面に固定されることで、外郭ケースを設置面に立設固定する据付脚と、一端が水抜き栓に取り付けられ、底面板を貫通し、他端が設置面に当接するように構成された外部支持脚と、を備え、地震により設置面が振動したとき、貯湯タンクに振動が伝搬し貯湯タンクと設置面との相対位置が変動することで外部支持脚が設置面から受ける応力により、外部支持脚が水抜き栓を開放するように構成した。
【発明の効果】
【０００８】
本発明によれば、地震により貯湯ユニットが振動した場合、貯湯タンクの重量を軽くし、撤去処理などの取扱いを容易にすることができる貯湯式給湯機を得ることが可能となる。
【図面の簡単な説明】
【０００９】
【図１】本発明の実施の形態１の貯湯式給湯機の内部透視図である。
【図２】本発明の実施の形態１の貯湯式給湯機の要部拡大図である。
【図３】本発明の実施の形態１の貯湯式給湯機の要部拡大図である。
【図４】本発明の実施の形態１の貯湯式給湯機の給水経路関連部分の説明図である。
【図５】本発明の実施の形態２の貯湯式給湯機の内部透視図である。
【図６】本発明の実施の形態２の貯湯式給湯機の輸送から据付までの内部透視図である。
【図７】本発明の実施の形態２の貯湯式給湯機の底面板部分の拡大図である。
【発明を実施するための形態】
【００１０】
以下、本発明の実施の形態について図を参照しながら説明するが、各図において同一部分または相当部分は同一符号を付し重複する説明を省略する。
【００１１】
実施の形態１．
本発明の実施の形態１に係る貯湯式給湯機について図１〜４を参照して説明する。図１は本発明の実施の形態１における貯湯式給湯機の構成部品である貯湯タンクを内蔵する貯湯ユニット１００の構成を示す内部透視図であり、図４は本発明の実施の形態１の貯湯式給湯機の給水経路に関連する部分のみを模式的に示した説明図である。なお、図１では貯湯ユニット１００の外郭となる外郭ケース２０と底面板２１を破線で表して内部を透視した状態で図示している。また、本来内蔵される配管・断熱材・機能部品・制御基板等の内蔵部品は図示を省略する（後述の図５、図６も同様）。
【００１２】
図１に示す貯湯ユニット１００は、貯湯タンク１０と、貯湯タンク１０を囲むように配置されている外郭ケース２０と、外郭ケース２０の一部であり貯湯タンク１０の下部に位置する底面板２１とを備えている。外郭ケース２０の内部には、貯湯タンク１０の下部に取り付けられ、当該貯湯タンク１０を立設支持している内部脚３０と、貯湯タンク１０の下部に取り付けられ、開放されると貯湯タンク１０内の湯水が排水されるように構成された水抜き栓４０と、一端が水抜き栓４０に取り付けられ、他端が底面板２１に当接するように配置された支持脚３２（内部支持脚に相当）とが設けられている。底面板２１の下部には、内部脚３０の下部と対応する位置に底面板２１を介して据付脚３１が取り付けられており、貯湯ユニット１００は据付脚３１によって貯湯ユニット１００の設置面となる床面６０に固定されている。
【００１３】
次に図４について説明する。図４は、貯湯ユニット１００の貯湯タンク１０への給水経路に関連する部分を説明するために、給水経路と貯湯タンク１０からの湯水の排水に関わる部分のみを模式的に表現した説明図である。貯湯タンク１０には、水道などの水源に接続された給水配管７０が接続されており、当該給水配管７０から水が供給され、通常は満水状態に維持される。また、給水配管７０の途中には、給水配管７０の流路を開閉可能な開閉手段９０が設けられており、貯湯ユニット１００の制御部（図示省略）の指示により給水配管７０から貯湯タンク１０への水の供給が遮断可能に構成されている。また、貯湯タンク１０には図示しない加熱手段が接続されており、貯留された水を加熱して湯とすることができ、湯水を貯留することが可能となっている。
【００１４】
また、貯湯タンク１０の下部に位置する底面板２１上には、後述する開口部１０Ａからの貯湯タンク１０内の湯水の外部への流出有無を検知する流出検知手段８０が設けられている。前述の制御部が流出検知手段８０により貯湯タンク１０からの湯水の流出を検知すると、開閉手段９０を閉じて、貯湯タンク１０への水源からの水の供給を遮断することができる。なお、流出検知手段８０は、底面板２１上に設ける以外に、例えば開口部１０Ａの湯水が流出する部分に設けてもよく、開口部１０Ａからの湯水の流出有無が検出可能な位置に設けられていればよい。
【００１５】
図２は図１の貯湯タンク１０の下部の水抜き栓４０付近を断面にして拡大した要部拡大図である。図２のように、貯湯タンク１０の下部に設けられた開口部１０Ａに、水抜き栓４０が挿入された状態で取り付けられており、この状態で貯湯タンク１０と水抜き栓４０との間は水密状態となっている。また水抜き栓４０の貯湯タンク１０の外側となる位置には支持脚３２が取り付けられており、水抜き栓４０は支持脚３２と連動して動くように構成されている。地震等による床面６０の振動がない状態では、支持脚３２は底面板２１に当接しているだけなので動くことは無く、したがって水抜き栓４０も貯湯タンク１０との水密状態となる図２の位置から動くことはない。
【００１６】
次に地震により貯湯ユニット１００が振動を受けた場合について説明する。図３は貯湯ユニット１００が振動を受けた場合の図１の貯湯タンク１０の下部の水抜き栓４０付近を断面にして拡大した要部拡大図である。貯湯ユニット１００が地震により振動を受けると、重量物である貯湯タンク１０は他の構成部品と固有振動数が大きく異なるため、振幅や周波数が他の構成部品と大きく異なるような振動を外郭ケース２０の内部で起こすことになる。すると、貯湯タンク１０と底面板２１とは相対的に異なる動きをすることになるため、一端が貯湯タンク１０に取り付けられた水抜き栓４０に取り付けられ、他端が底面板２１に当接している支持脚３２は底面板２１と貯湯タンク１０との位置関係の変化の影響を受け、図３（ａ）の矢印に示すように動くことになる。さらに振動が続くと、底面板２１に衝突した応力により水抜き栓４０が、地震の振動により開口部１０Ａに対し上下に抉るように動く（図３（ｂ））。さらに水抜き栓４０は、貯湯タンク１０内の水圧の影響も受けて貯湯タンク１０の開口部１０Ａから抜ける方向に移動し（図３（ｃ））、やがて外れる（図３（ｄ））。
【００１７】
すると、貯湯タンク１０の下部の開口部１０Ａからは貯湯タンク１０内に貯留されていた湯水が外部に放出され底面板２１上へ流出する。このようにして貯湯タンク１０内の湯水は排出されていき、それに応じて貯湯タンク１０の重量が減少していくので、撤去処理などの取扱いを容易にすることが可能となる。また、水抜き栓４０および対応する開口部１０Ａは貯湯タンク１０の下部に配置されているので、貯湯タンク１０内の湯水をほぼ全量排出することが可能であり、十分な重量の低減が可能となる。
【００１８】
上述の例は地震によって水源からの水の供給が何らかの原因（例えば、水源側とつながる配管が、地震で断絶するなどして給水されなくなる、など）で停止している場合を前提にして説明したが、例えば地震によって水源からの水の供給が停止しない場合については、図４で示したように、制御部が流出検知手段８０により湯水の流出を検知し、水源から貯湯タンク１０への水供給を遮断するように開閉手段９０を閉じる。すると貯湯タンク１０への水源からの水供給は停止される。上記の動作をおこなうことで、地震が発生した際に水の供給が停止した場合と同様の効果を奏することになる。
【００１９】
実施の形態２．
次に本発明の実施の形態２に係る貯湯式給湯機について図５〜図７を参照して説明する。なお、実施の形態１との相違点を中心に説明し、同一部分または相当部分は同一符号を付し重複する説明を省略する。図５に示す貯湯ユニット１００は、支持脚３２の代わりに、一端が水抜き栓４０に取り付けられ、底面板２１に設けられた貫通穴２１Ａ（後述）を貫通して、他端が設置面となる床面６０に当接するように構成された支持脚３２ａ（外部支持脚に相当）を有する点が、実施の形態１の図１との相違点である。
【００２０】
支持脚３２ａの他端を直接床面６０に当接することにより、実施の形態１の場合と比較して、より確実に地震の震動を支持脚３２ａから水抜き栓４０に伝えることが可能となり、支持脚３２ａの動作による水抜き栓４０の開放をより確実に実施することができる。したがって、貯湯タンク１０内の湯水をより確実に排出し、それに応じて貯湯タンク１０の重量が減少するので、撤去処理などの取扱いを容易にすることが可能となる。
【００２１】
図６は、本発明の実施の形態２による貯湯式給湯機の貯湯ユニット１００を示す図である。この図に示す貯湯ユニット１００は、設置場所までの運搬時など設置面に据付固定される前の未据付状態での状態を示している。図６に示すように、未据付状態において支持脚３２ａは、貯湯ユニット１００の外郭ケース２０の内部に収納可能に構成されており、図５のように据付がなされた場合に、一端が水抜き栓４０に取り付けられ、底面板２１を貫通して、他端が設置面となる床面６０に当接するように構成される。このように構成することで、貯湯ユニット１００の輸送から据付までのような未据付状態の間、支持脚３２ａが邪魔になることなく、取扱いが容易となる。具体的には、貯湯ユニット１００の据え付けを行う際に、据え付け作業者が、支持脚３２ａを外郭ケース２０内から引き出して床面６０に当接させて、そのあと、水抜き栓４０に連結するように取り付けを行うようにすればよい。
【００２２】
図７は、本発明の実施の形態２の底面板２１に設けられた支持脚３２ａが貫通する貫通穴２１Ａ付近を拡大した斜視図である。図７に示すように、底面板２１には、貫通穴２１Ａが設けられており、貫通穴２１Ａには、支持脚３２ａが搖動可能に挿入されている。また、貫通穴２１Ａの周囲の外郭ケース２０の内側となる底面板２１上には、貫通穴２１Ａの全周を覆うよう立設して形成された仕切部２１Ｂが設けられている。この仕切部２１Ｂは、開口部１０Ａから放出された貯湯タンク１０内の湯水が、貫通穴２１Ａから外郭ケース２０の外に排出されるようにするためのガイドとしての効果と、開口部１０Ａ以外の貯湯ユニット１００の外郭ケース２０内からの漏水が底面板２１に流出した場合、その漏水を貫通穴２１Ａから外郭ケース２０の外部に放出しないようにするための堤防としての効果を兼ね備えている。
【００２３】
仕切部２１Ｂをこのように構成することで、水抜き栓４０が開放されることによる貯湯タンク１０からの湯水の流出以外の漏水が、貫通穴２１Ａより排出しないようにすることができる。したがって、貯湯タンク１０内の湯水が排出されることで貯湯タンク１０の重量が減少し、撤去処理などの取扱いを容易にすることが可能となる効果に加えて、貯湯ユニット１００で漏水が発生した場合に、貫通穴２１Ａからの湯水の流出の有無を確認することで、地震による貯湯タンク１０の傾きによる流出であるのか、別箇所の故障が原因での流出なのかを区分けすることができる。
【００２４】
なお、本発明の実施の形態１、２では、貯湯タンク１０から湯水を排出する際に、水抜き栓４０が開口部１０Ａから抜けるようにした構成について説明したが、これに限らず、例えば貯湯タンク１０の下部のタンク壁面に直接、水抜き栓４０を取付けてもよい。この場合、水抜き栓４０が地震などの震動により上下方向に動くと、貯湯タンク１０の下部のタンク壁面が直接曲げ応力を受けて変形して破断し、その破断した部分から内部の湯水が排出される。このように構成しても、上述と同様の効果を奏する。つまり、水抜き栓４０の作用により貯湯タンク１０の下部から湯水が排出可能に構成されていれば、上述の方法以外の既知の種々の方法を用いて当該部分を構成することが可能となる。
【符号の説明】
【００２５】
１００  貯湯ユニット
１０  貯湯タンク
１０Ａ  開口部
２０  外郭ケース
２１  底面板
２１Ａ  貫通穴
２１Ｂ  仕切部
３０  内部脚
３１  据付脚
３２  支持脚（内部支持脚）
３２ａ  支持脚（外部支持脚）
４０  水抜き栓
４１  支持脚
６０  床面
７０  給水配管
８０  流出検知手段
９０  開閉手段
【図１】
2016114326.tif 000003
【図２】
2016114326.tif 000004
【図３】
2016114326.tif 000005
【図４】
2016114326.tif 000006
【図５】
2016114326.tif 000007
【図６】
2016114326.tif 000008
【図７】
2016114326.tif 000009